(57)【要約】【課題】  ボトル缶への装着が容易であり、安全で衛生的な乳首部材及びこれを備えた飲料容器並びに乳首付きキャップを提供すること。【解決手段】  全体が弾性材料で略円錐状に成形されていると共に容器本体２の口部３に取り付け可能であり、先端部に開口部４ａが形成された乳首部４と、乳首部に連続して形成され乳首部よりも拡径された乳輪部５と、乳輪部に連続して形成され乳輪部よりも拡径された基部６とを備え、基部が、口部の上端部を外側に折り返して形成されたカール部３ａが嵌め込み可能な嵌め込み用凹部６ａを有している。【選択図】      図１
2020156554.tif 000002
【特許請求の範囲】
【請求項１】
全体が弾性材料で略円錐状に成形されていると共に容器本体の口部に取り付け可能であり、
先端部に開口部が形成された乳首部と、
前記乳首部に連続して形成され前記乳首部よりも拡径された乳輪部と、
前記乳輪部に連続して形成され前記乳輪部よりも拡径された基部とを備え、
前記基部が、前記口部の上端部を外側に折り返して形成されたカール部が嵌め込み可能な嵌め込み用凹部を有していることを特徴とする乳首部材。
【請求項２】
請求項１に記載の乳首部材と、
口部の上端部を外側に折り返して形成されたカール部を有した容器本体と、
前記口部に装着可能なキャップとを備え、
前記乳首部材が、前記カール部が前記嵌め込み用凹部に嵌め込まれた状態で前記口部に取り付けられ、
前記キャップが、前記口部との間に前記基部を挟んだ状態で前記口部に装着されることを特徴とする飲料容器。
【請求項３】
請求項２に記載の飲料容器において、
内容物を封入した陽圧缶であり、前記口部に前記キャップが装着された状態で前記乳首部及び前記乳輪部が前記口部内に押し込まれていると共に、前記口部から前記キャップを取り外した状態で前記乳首部及び前記乳輪部が前記口部から突出することを特徴とする飲料容器。
【請求項４】
請求項２又は３に記載の飲料容器において、
前記開口部に挿通されたストロー部を備えていることを特徴とする飲料容器。
【請求項５】
請求項２から４のいずれか一項に記載の飲料容器において、
前記乳首部材と前記キャップとの間に前記乳首部材よりも硬質な樹脂材料で形成されたライナーを備えていることを特徴とする飲料容器。
【請求項６】
請求項２から５のいずれか一項に記載の飲料容器において、
前記容器本体が、アルミニウム製ボトル缶であり、
前記内容物が、液体ミルクであることを特徴とする飲料容器。
【請求項７】
請求項１に記載の乳首部材と、
前記容器本体の口部に装着可能なキャップ本体とを備え、
前記キャップ本体が、天板部と前記天板部の周縁から垂下した筒状周壁部とを備え、
前記乳首部材が、前記基部を前記筒状周壁部の内周面及び前記天板部の内面に当接させていると共に前記天板部の内面に前記乳首部の先端部を当接させて変形させた状態で前記キャップ本体内に嵌め込まれていることを特徴とする乳首付きキャップ。
【請求項８】
請求項７に記載の乳首付きキャップにおいて、
前記筒状周壁部が、内方に突出していると共に前記基部の外周縁部を下方から係止する乳首部材係止突起を有していることを特徴とする乳首付きキャップ。
【発明の詳細な説明】
【技術分野】
【０００１】
本発明は、ボトル缶などに容易に装着可能な乳首部材及びこれを備えた飲料容器並びに乳首付きキャップに関する。
【背景技術】
【０００２】
近年、災害時等の特殊環境下において、乳児用液体ミルクの需要が増している。このような環境下では、乳児用食品の入手が困難になると共に、母体にかかるストレスから母乳が出難くなる事例が挙げられている。このような状況下では、安全で衛生的な乳児用食料が求められるが、乳児が飲料を飲む場合、哺乳瓶のような特殊な形状の飲み口が必要であり、飲み口の安全，衛生性の確保が重要である。
【０００３】
従来の哺乳瓶では、例えば特許文献１及び２に記載されているように、ボトルの上端外周に雄ネジが形成されており、この雄ネジに螺着可能な雌ネジを内側に有したリング状のキャップを用いて乳首部材をボトルの口部に取り付けている。
【０００４】
また、特許文献３では、ボトル本体と、ボトル本体の開口部に装着される乳首部材と、乳首部材を被うようにボトル本体の開口部に固着される保護カバーと、保護カバーを被うようにボトル本体の開口部に着脱可能に装着されるキャップとを含む飲料容器が記載されている。この飲料容器では、ボトル本体の開口部の外周部に雄ネジ部が形成され、この雄ネジ部に乳首部材の内周面に形成された雌ネジ部を螺合させて乳首部材をボトル本体の開口部に装着している。
【先行技術文献】
【特許文献】
【０００５】
【特許文献１】特開２０１１−９２５５２号公報
【特許文献２】実用新案登録第３２２０１００号公報
【特許文献３】特許第５９２５５３６号公報
【発明の概要】
【発明が解決しようとする課題】
【０００６】
上記従来の技術には、以下の課題が残されている。
上記従来の乳首部材や哺乳瓶では、乳首部材をボトル本体の開口部に装着するために、内周面に雌ネジ部を形成したリング状のキャップを用いたり、乳首部材自体に雌ネジ部を形成したりして、リング状のキャップや乳首部材の雌ネジ部に対応した雄ネジ部をボトル本体の開口部に形成する必要があった。このため、専用の特殊なボトル本体の作製が必要であり、一般に普及しているアルミニウム製等のボトル缶に容易に乳首部材を装着することが困難であった。特に、近年、上述した液体ミルクの容器として使い捨て哺乳瓶の要望があり、熱処理が可能であり液体ミルク等の内容物を長期保存が可能なボトル缶を用いることが検討されている。
【０００７】
本発明は、前述の課題に鑑みてなされたもので、ボトル缶への装着が容易であり、安全で衛生的な乳首部材及びこれを備えた飲料容器並びに乳首付きキャップを提供することを目的とする。
【課題を解決するための手段】
【０００８】
本発明は、前記課題を解決するために以下の構成を採用した。すなわち、第１の発明に係る乳首部材は、全体が弾性材料で略円錐状に成形されていると共に容器本体の口部に取り付け可能であり、先端部に開口部が形成された乳首部と、前記乳首部に連続して形成され前記乳首部よりも拡径された乳輪部と、前記乳輪部に連続して形成され前記乳輪部よりも拡径された基部とを備え、前記基部が、前記口部の上端部を外側に折り返して形成されたカール部が嵌め込み可能な嵌め込み用凹部を有していることを特徴とする。
【０００９】
この乳首部材では、基部が、口部の上端部を外側に折り返して形成されたカール部が嵌め込み可能な嵌め込み用凹部を有しているので、一般に流通しているアルミ缶等の容器本体のカール部を嵌め込み用凹部に嵌め込むことで、容易にアルミ缶の口部に乳首部材を取り付けることができ、乳首状の飲み口を設けることができる。また、この乳首部材では、弾性材料で形成されていると共に嵌め込みだけで取り付けられるので、容易に口部から取り外しが可能であり、乳首部材を取り外して飲み残しを容易に捨てることができると共に、使用後はゴミとして分別も容易となる。
【００１０】
第２の発明に係る飲料容器は、第１の発明の乳首部材と、口部の上端部を外側に折り返して形成されたカール部を有した容器本体と、前記口部に装着可能なキャップとを備え、前記乳首部材が、前記カール部が前記嵌め込み用凹部に嵌め込まれた状態で前記口部に取り付けられ、前記キャップが、前記口部との間に前記基部を挟んだ状態で前記口部に装着されることを特徴とする。
すなわち、この飲料容器では、キャップが、口部との間に基部を挟んだ状態で口部に装着されるので、キャップを装着した状態では、キャップが基部を口部側に押し付けることで、嵌め込み用凹部がカール部により密着して高い密封性を確保することができる。
【００１１】
第３の発明に係る飲料容器は、第２の発明において、内容物を封入した陽圧缶であり、前記口部に前記キャップが装着された状態で前記乳首部及び前記乳輪部が前記口部内に押し込まれていると共に、前記口部から前記キャップを取り外した状態で前記乳首部及び前記乳輪部が前記口部から突出することを特徴とする。
すなわち、この飲料容器では、口部にキャップが装着された状態で乳首部及び乳輪部が口部内に押し込まれていると共に、口部からキャップを取り外した状態で乳首部及び乳輪部が口部から突出するので、キャップ装着時では乳首部材が口部内に格納されて衛生的であると共に、キャップ取り外し時には陽圧缶の圧力によって口部から乳首部及び乳輪部が自動的に突出して、直ぐに使用可能な状態となる。
【００１２】
第４の発明に係る飲料容器は、第２又は第３の発明において、前記開口部に挿通されたストロー部を備えていることを特徴とする。
すなわち、この飲料容器では、開口部に挿通されたストロー部を備えているので、乳首部の先端からストロー部が突出した状態であり、ストロー部を用いて内容物を吸い出すことが可能になる。特に、児童，お年寄り又は障害者などでも、ストロー部を用いて容易に飲料することが可能になる。また、ストロー部が弾性材料で形成された乳首部材に取り付けられているため、柔軟な乳首部によってストロー部の差し込み角度を容易に変更することが可能になる。さらに、ストロー部が、弾性材料で形成された乳首部の開口部に挿通されているため、弾性材料による締め付ける弾性力や摩擦力によってストロー部が開口部に保持されて抜け落ちてしまうことを防止できる。
【００１３】
第５の発明に係る飲料容器は、第２から第４の発明のいずれかにおいて、前記乳首部材と前記キャップとの間に前記乳首部材よりも硬質な樹脂材料で形成されたライナーを備えていることを特徴とする。
すなわち、この飲料容器では、乳首部材とキャップとの間に乳首部材よりも硬質な樹脂材料で形成されたライナーを備えているので、硬質で表面の滑り性が高いライナーにより、ライナーと乳首部材との間で滑り易くなり、開栓トルクを低減することができる。
【００１４】
第６の発明に係る飲料容器は、第２から第５の発明のいずれかにおいて、前記容器本体が、アルミニウム製ボトル缶であり、前記内容物が、液体ミルクであることを特徴とする。
すなわち、この飲料容器では、容器本体が、アルミニウム製ボトル缶であり、内容物が、液体ミルクであるので、熱処理ができ、長期保存が可能な乳児用の哺乳瓶とすることができる。
【００１５】
第７の発明に係る乳首付きキャップは、第１の発明の乳首部材と、前記容器本体の口部に装着可能なキャップ本体とを備え、前記キャップ本体が、天板部と前記天板部の周縁から垂下した筒状周壁部とを備え、前記キャップ本体が、天板部と前記天板部の周縁から垂下した筒状周壁部とからなるキャップ本体とを備え、前記乳首部材が、前記基部を前記筒状周壁部の内周面及び前記天板部の内面に当接させていると共に前記天板部の内面に前記乳首部の先端部を当接させて変形させた状態で前記キャップ本体内に嵌め込まれていることを特徴とする。
すなわち、この乳首付きキャップでは、乳首部材が、基部を筒状周壁部の内周面及び天板部の内面に当接させていると共に天板部の内面に乳首部の先端部を当接させて変形させた状態でキャップ本体内に嵌め込まれているので、容器本体の口部に乳首付きキャップを装着するだけで、口部のカール部が嵌め込み用凹部に嵌まってキャップ本体内の乳首部材を口部に取り付けることができる。
【００１６】
第８の発明に係る乳首付きキャップは、第７の発明において、前記筒状周壁部が、内方に突出していると共に前記基部の外周縁部を下方から係止する乳首部材係止突起を有していることを特徴とする。
すなわち、この乳首付きキャップでは、筒状周壁部が、内方に突出していると共に基部の外周縁部を下方から係止する乳首部材係止突起を有しているので、乳首部材係止突起で支持されていることで、乳首部材がキャップ本体内から脱落することを防ぐことができる。また、容器本体の口部に乳首付きキャップを装着すると、乳首部材の嵌め込み用凹部にカール部が嵌まり密着することで乳首部材が口部の上部に固定されるが、乳首部材係止突起で基部の外周縁部を係止しているだけであり、この係止力よりも嵌め込み用凹部による固定力の方が強く、開栓時には乳首部材係止突起で係止されていた基部が撓んで容易に係止状態が解除されることで、口部に乳首部材がそのまま取り付けられた状態で開栓することができる。
【発明の効果】
【００１７】
本発明によれば、以下の効果を奏する。
すなわち、本発明に係る乳首部材及びこれを備えた飲料容器並びに乳首付きキャップによれば、基部が、口部の上端部を外側に折り返して形成されたカール部が嵌め込み可能な嵌め込み用凹部を有しているので、一般に流通しているアルミ缶等の容器本体のカール部を嵌め込み用凹部に嵌め込むことで、容易にアルミ缶の口部に乳首部材を取り付けることができる。
したがって、本発明の乳首部材及びこれを備えた飲料容器並びに乳首付きキャップでは、容器本体をボトル缶とすることで、熱処理ができ、液体ミルク等の内容物を長期保存可能で乳首状の飲み口を有したボトル缶とすることができる。このように本発明の飲料容器は、安全で衛生的な保存型容器であり、簡易使い捨て哺乳瓶等として使用することができる。
【図面の簡単な説明】
【００１８】
【図１】本発明に係る乳首部材及びこれを備えた飲料容器並びに乳首付きキャップの第１実施形態において、飲料容器を示す要部の拡大断面図である。
【図２】第１実施形態において、キャップ装着時の飲料容器を示す断面図である。
【図３】第１実施形態において、開栓時の飲料容器を示す断面図である。
【図４】第１実施形態において、開栓時の飲料容器を示す３Ｄ斜視図である。
【図５】本発明に係る乳首部材及びこれを備えた飲料容器並びに乳首付きキャップの第２実施形態において、キャップ装着時の飲料容器を示す断面図である。
【図６】第２実施形態において、開栓時の飲料容器を示す断面図である。
【図７】本発明に係る乳首部材及びこれを備えた飲料容器並びに乳首付きキャップの第３実施形態において、乳首付きキャップを示す断面図である。
【発明を実施するための形態】
【００１９】
以下、本発明に係る乳首部材及びこれを備えた飲料容器並びに乳首付きキャップの第１実施形態を、図１から図４を参照しながら説明する。なお、以下の説明に用いる図面では、各部材を認識可能又は認識容易な大きさとするために一部について縮尺を適宜変更している。
【００２０】
本実施形態の乳首部材１は、図１から図４に示すように、全体が弾性材料で略円錐状に成形された人工乳首であると共に容器本体２の口部３に取り付け可能であり、先端部に開口部４ａが形成された乳首部４と、乳首部４に連続して形成され乳首部４よりも拡径された乳輪部５と、乳輪部５に連続して形成され乳輪部５よりも拡径された基部６とを備えている。
上記基部６は、口部３の上端部を外側に折り返して形成されたカール部３ａが嵌め込み可能な嵌め込み用凹部６ａを有している。
上記開口部４ａは、例えば丸孔，Ｙ字状や十字状のスリットなどのカット形状が採用可能である。
【００２１】
また、本実施形態の飲料容器１０は、上記乳首部材１と、口部３の上端部を外側に折り返して形成されたカール部３ａを有した容器本体２と、容器本体２内に内容物を封入した状態で口部３に装着可能なキャップ７とを備えている。
この飲料容器１０は、上記キャップ７を口部３に巻き締めた状態で備えている。
上記乳首部材１は、カール部３ａが嵌め込み用凹部６ａに嵌め込まれた状態で口部３に取り付けられている。
【００２２】
本実施形態の飲料容器１０は、例えばアルミニウム製ボトル缶（いわゆるアルミ缶）の陽圧缶であり、図１及び図２に示すように、口部３にキャップ７が装着された状態で乳首部材１の乳首部４及び乳輪部５が口部３内に押し込まれていると共に、図３及び図４に示すように、口部３からキャップ７を取り外した状態で乳首部４及び乳輪部５が口部３から突出する。
上記内容物は、例えば液体ミルクである。
【００２３】
上記キャップ７は、天板部８ａと天板部８ａの周縁から垂下した筒状周壁部８ｂとからなるキャップ本体８を備えている。
また、キャップ７は、乳首部材１とキャップ７との間に乳首部材１よりも硬質な樹脂材料で形成されたライナー９を備えている。
上記ライナー９は、天板部８ａの内面に配されている。
ライナー９は、全体が合成樹脂で円盤状に形成され、キャップ本体８に対して回転自由に設置されている。
例えば、ライナー９は、例えばポリプロピレン等で形成されている。
【００２４】
上記乳首部材１は、例えば天然ゴム，イソブレンゴム，シリコンゴムなどの軟質樹脂で形成されている。
このため内容物を容器本体２内に封入する際に、口部３のカール部３ａとキャップ７及びライナー９とが軟質樹脂で形成された乳首部材１の基部６を挟み込むことにより、高い密封性が確保できる。
なお、基部６の上面に、基部６よりも硬質な樹脂膜を形成しておき、滑り性をさらに向上させても構わない。
【００２５】
上記カール部３ａは、口部３の上端部をカールさせるカール加工と、カールした部分をかしめるスロットル加工とで形成される。したがって、カール部３ａの外周面は、スロットル加工により平坦面を有している。
【００２６】
上記基部６は、外周縁において下方に垂下していると共に環状に延在しカール部３ａの外周面に内周面が密着する外周壁部６ｂと、外周壁部６ｂよりも内側において下方に突出していると共に環状に延在しカール部３ａの内周面に外周面が密着する内側下方突出部６ｃとを有している。すなわち、嵌め込み用凹部６ａは、外周壁部６ｂと内側下方突出部６ｃとの間に形成された環状の凹部であり、カール部３ａが下方から嵌め込まれて内面に密着することで水密状態を保持することができる。
【００２７】
上記内側下方突出部６ｃは、外周壁部６ｂよりも下方に長く突出してカール部３ａの内周面側に広い面積で密着していることで、嵌め込み時の高い密封性及び水密性を確保している。
上記容器本体２は、ねじ締結密封機構を持ったボトル缶であり、口部３の外周面に雄ネジ部３ｂが形成されている。
また、上記キャップ７は、口部３に装着する際に筒状周壁部８ｂを口部３に巻き締めるキャッピング加工により、筒状周壁部８ｂの内周面に雄ネジ部３ｂに螺着可能な雌ネジ部が形成される。
【００２８】
本実施形態の乳首部材１及び飲料容器１０では、キャップ７が口部３に装着された状態では、図１及び図２に示すように、乳首部４及び乳輪部５が口部３内に押し込められているが、キャップ７を外して開栓すると、図３及び図４に示すように、内圧の開放によって乳首部４及び乳輪部５が口部３から外部に膨らみ、突出することで、乳首状の飲み口を形成する。
なお、本実施形態では、飲料容器１０を陽圧缶とし、内圧によって開栓時に乳首部４及び乳輪部５が口部３から突出するようにしたが、陽圧缶でない場合でも、予め乳首部材１にくせ付けをしておき、開栓時に自己のバネ性によって口部３から突出するように設定しても構わない。
【００２９】
このように本実施形態の乳首部材１では、基部６が、口部３の上端部を外側に折り返して形成されたカール部３ａが嵌め込み可能な嵌め込み用凹部６ａを有しているので、一般に流通しているアルミ缶等の容器本体２のカール部３ａを嵌め込み用凹部６ａに嵌め込むことで、容易にアルミ缶等の口部３に乳首部材１を取り付けることができ、乳首状の飲み口を設けることができる。
特に、容器本体２が、アルミニウム製ボトル缶であり、内容物が、液体ミルクであれば、熱処理ができ、長期保存が可能な乳児用の哺乳瓶とすることができる。
【００３０】
また、この乳首部材１では、弾性材料で形成されていると共に嵌め込みだけで取り付けられるので、容易に口部３から取り外しが可能であり、乳首部材１を取り外して飲み残しを容易に捨てることができると共に、使用後はゴミとして分別も容易となる。
なお、乳首部材１の取り外しが不要な場合、嵌め込み用凹部６ａの内面に接着剤を塗布しておき、カール部３ａと接着することで、乳首部材１の外れや滑りを防止しても構わない。
【００３１】
また、本実施形態の飲料容器１０では、キャップ７が、口部３との間に基部６を挟んだ状態で口部３に装着されるので、キャップ７を装着した状態では、キャップ７が基部６を口部３側に押し付けることで、嵌め込み用凹部６ａがカール部３ａにより密着して高い密封性を確保することができる。
【００３２】
さらに、口部３にキャップ７が装着された状態で乳首部４及び乳輪部５が口部３内に押し込まれていると共に、口部３からキャップ７を取り外した状態で乳首部４及び乳輪部５が口部３から突出するので、キャップ７装着時では乳首部材１が口部３内に格納されて衛生的であると共に、キャップ７取り外し時には陽圧缶の圧力によって口部３から乳首部４及び乳輪部５が自動的に突出して、直ぐに使用可能な状態となる。
また、乳首部材１とキャップ７との間に乳首部材１よりも硬質な樹脂材料で形成されたライナー９を備えているので、硬質で表面の滑り性が高いライナー９により、ライナー９と乳首部材１との間で滑り易くなり、開栓トルクを低減することができる。
【００３３】
次に、本発明に係る乳首部材及びこれを備えた飲料容器並びに乳首付きキャップの第２及び第３実施形態について、図５から図７を参照して以下に説明する。なお、以下の各実施形態の説明において、上記実施形態において説明した同一の構成要素には同一の符号を付し、その説明は省略する。
【００３４】
第２実施形態と第１実施形態との異なる点は、第１実施形態では、乳首部４の先端部に開口部４ａが形成されているだけであるのに対し、第２実施形態の飲料容器２０は、図５及び図６に示すように、開口部４ａに挿通されたストロー部２２を備えている点である。
すなわち、第２実施形態では、乳首部４の先端部にストロー部２２が挿通可能な開口部４ａが形成されており、この開口部４ａにストロー部２２が容器本体２の底部まで差し込まれている。
【００３５】
口部３にキャップ７が装着されている状態では、図５に示すように、乳首部４と共にストロー部２２全体が容器本体２内に収納されており、口部３からキャップ７を外した状態では、図６に示すように、乳首部４及び乳輪部５と共にストロー部２２の上部も口部３から上方外部に突出した状態となる。
【００３６】
このように第２実施形態の飲料容器２０では、開口部４ａに挿通されたストロー部２２を備えているので、乳首部４の先端からストロー部２２が突出した状態であり、ストロー部２２を用いて内容物を吸い出すことが可能になる。特に、児童，お年寄り又は障害者などでも、ストロー部２２を用いて容易に飲料することが可能になる。また、ストロー部２２が弾性材料で形成された乳首部材１に取り付けられているため、柔軟な乳首部４によってストロー部２２の差し込み角度を容易に変更することが可能になる。さらに、ストロー部２２が、弾性材料で形成された乳首部４の開口部４ａに挿通されているため、弾性材料による締め付ける弾性力や摩擦力によってストロー部２２が開口部４ａに保持されて抜け落ちてしまうことを防止できる。
【００３７】
第３実施形態と第１実施形態との異なる点は、第１実施形態では、容器本体２の口部３に乳首部材１が予め取り付けてあるのに対し、第３実施形態の乳首付きキャップ３７では、図７に示すように、キャッピング前のキャップ本体８内に乳首部材１が収納されている点である。
第３実施形態の乳首付きキャップ３７は、上記乳首部材１と、容器本体２の口部３に装着可能なキャップ本体８とを備えている。
【００３８】
上記キャップ本体８が、天板部８ａと天板部８ａの周縁から垂下した筒状周壁部８ｂとを備えている。
上記乳首部材１は、基部６を筒状周壁部８ｂの内周面及び天板部８ａの内面に当接させていると共に天板部８ａの内面に乳首部４の先端部を当接させて変形させた状態でキャップ本体８内に嵌め込まれている。
【００３９】
上記筒状周壁部８ｂは、乳首部材係止突起３８ｅ、ミシン目３８ｆ及びスカート部３８ｇ等を備えている。
すなわち、筒状周壁部８ｂは、内方に突出していると共に基部６の外周縁部（外周壁部６ｂ）を下方から係止する乳首部材係止突起３８ｅを有している。
上記乳首部材係止突起３８ｅは、筒状周壁部８ｂの内側に凹んだ断面三角形状または半円形状をなし、周方向に間隔をおいて複数個配され内方に突出形成されたものであり、乳首部材１をその下方から支持する機能と缶内圧力を放出するベント機能と実質上の洗浄口の役目とを有する。
【００４０】
乳首部材１は、キャップ３７が口部３に装着された際に、カール部３ａが嵌め込み用凹部６ａにちょうど嵌め込まれる位置に配され、嵌め込み用凹部６ａをキャップ本体８の開口部に向けた状態でキャップ本体８内に嵌め込まれている。
【００４１】
第３実施形態の乳首付きキャップ３７では、乳首部材１が、基部６を筒状周壁部８ｂの内周面及び天板部８ａの内面に当接させていると共に天板部８ａの内面に乳首部４の先端部を当接させて変形させた状態でキャップ本体８内に嵌め込まれているので、容器本体２の口部３に乳首付きキャップ３７を装着するだけで、口部３のカール部３ａが嵌め込み用凹部６ａに嵌まってキャップ本体８内の乳首部材１を口部３に取り付けることができる。
【００４２】
また、筒状周壁部８ｂが、内方に突出していると共に基部６の外周縁部を下方から係止する乳首部材係止突起３８ｅを有しているので、乳首部材係止突起３８ｅで支持されていることで、乳首部材１がキャップ本体８内から脱落することを防ぐことができる。また、容器本体２の口部３に乳首付きキャップ３７を装着すると、乳首部材１の嵌め込み用凹部６ａにカール部３ａが嵌まり密着することで乳首部材１が口部３の上部に固定されるが、乳首部材係止突起３８ｅで基部６の外周縁部を係止しているだけであり、この係止力よりも嵌め込み用凹部６ａによる固定力の方が強く、開栓時には乳首部材係止突起３８ｅで係止されていた基部６が撓んで容易に係止状態が解除されることで、口部３に乳首部材１がそのまま取り付けられた状態で開栓することができる。
【００４３】
なお、本発明の技術範囲は上記各実施形態に限定されるものではなく、本発明の趣旨を逸脱しない範囲において種々の変更を加えることが可能である。
【符号の説明】
【００４４】
１…乳首部材、２…容器本体、３…口部、３ａ…カール部、４…乳首部、４ａ…開口部、５…乳輪部、６…基部、６ａ…嵌め込み用凹部、７…キャップ、８…キャップ本体、８ａ…天板部、８ｂ…筒状周壁部、９…ライナー、１０，２０…飲料容器、２２…ストロー部、３７…乳首付きキャップ、３８ｅ…乳首部材係止突起
【図１】
2020156554.tif 000003
【図２】
2020156554.tif 000004
【図３】
2020156554.tif 000005
【図４】
2020156554.tif 000006
【図５】
2020156554.tif 000007
【図６】
2020156554.tif 000008
【図７】
2020156554.tif 000009